(57)【要約】【課題】精度良くディスク判別を可能にするディスク判別方法および光ディスク再生装置を提供する。【解決手段】対物レンズを光ディスクの記録面に近づける又は遠ざけるように移動させながら、複数レーザの時分割照射を繰り返し、これらの照射による光ディスクからの反射光を検出し、該検出した反射光により光ディスクの種類を判別する。【選択図】  図１
2004295952.tif 000002
【特許請求の範囲】
【請求項１】
複数種類の光ディスクを判別する光ディスク判別方法であって、
対物レンズを光ディスクの記録面に近づける又は遠ざけるように移動させながら、該光ディスクに対して波長の異なる複数レーザの時分割照射を繰り返し、これらの照射による光ディスクからの反射光を検出し、
該検出した反射光により光ディスクの種類を判別することを特徴とする光ディスク判別方法。
【請求項２】
前記検出は、前記複数レーザの光源の数よりも少ない数の光検出器を用いて検出することを特徴とする請求項１記載の光ディスク判別方法。
【請求項３】
複数種類の光ディスクを判別する判別方法であって、
対物レンズをフォーカス方向に光ディスクの記録面から遠ざかるように移動し、
前記対物レンズを前記移動したフォーカス方向とは逆方向に移動させながら、前記光ディスクに対して波長の異なる複数レーザの時分割照射を繰り返し、これらの照射による光ディスクからの反射光を検出し、
該検出した反射光から信号を生成し、
該信号を各レーザに対応した信号に分離し、
前記分離した信号により光ディスクの種類を判別することを特徴とする光ディスク判別方法。
【請求項４】
前記分離した信号は、光ディスクの反射率によって変化する信号であることを特徴とする請求項３記載の光ディスク判別方法。
【請求項５】
前記分離した信号は、フォーカスエラー信号、反射光量の総和信号のうち少なくとも１つであることを特徴とする請求項３記載の光ディスク判別方法。
【請求項６】
前記光ディスクの反射率によって変化する信号の振幅値により光ディスクの種類を判別する請求項４記載の光ディスク判別方法。
【請求項７】
前記検出は、前記複数レーザの光源の数よりも少ない数の光検出器を用いて検出することを特徴とする請求項３記載の光ディスク判別方法。
【請求項８】
波長の異なる複数のレーザ光源と、
対物レンズと、
該対物レンズを光ディスクの記録面に近づける又は遠ざけるように移動させるフォーカスアクチュエータと、
前記移動させている期間中に前記光ディスクに対して波長の異なる複数レーザの時分割照射を繰り返すように制御する制御回路と、
前記照射による光ディスクからの反射光を検出する光検出器と、
該検出した反射光により光ディスクの種類を判別する判別回路とを備えることを特徴とする光ディスク装置。
【請求項９】
前記検出器は、前記複数のレーザ光源の数よりも少ない数の光検出器であることを特徴とする請求項８記載の光ディスク装置。
【発明の詳細な説明】
【０００１】
【発明の属する技術分野】
本発明は複数種類の光ディスクの判別に関する。
【０００２】
【従来の技術】
特許文献１では、対物レンズの焦点方向への移動中に光ディスクに対してＣＤ用レーザ及びＤＶＤ用レーザを一緒に照射させ、これらの照射による反射光を１個ずつの検出器（合計２個）にて検出し、検出した反射光からＣＤとＤＶＤのディスク判別をする。
【０００３】
【特許文献１】
特開平１１−３２８６８４号公報  （図１〜図３）
【０００４】
【発明が解決しようとする課題】
前記特許文献１では、２つのレーザを照射しているので、光ディスクからの反射光を各レーザに分離する必要があり、分離精度により他のレーザが漏れ込む可能性があり、ディスク判別への影響という点について考慮されてはいない。
【０００５】
更に、今般、レーザ光源の数は増える傾向にあり、レーザ光源の数が多くなるほど、レーザ光が互いに漏れ込むことにより、ディスク判別を誤る原因となる可能性が大きくなる。レーザ光源の数が増える一例として、現在、ＣＤやＤＶＤの他に高密度に記録可能な光ディスクの規格（Ｂｌｕ−ｒａｙ  Ｄｉｓｃ（以下ＢＤと呼ぶ））が提案されている。
【０００６】
以上の点に鑑みて本発明の目的は、複数の光ディスクに対応する光ディスク再生において、精度良くディスク判別を可能にするディスク判別方法および光ディスク装置を提供することである。
【０００７】
【課題を解決するための手段】
本発明の目的は、対物レンズをフォーカス方向に移動させながら波長の異なる複数のレーザの照射を繰り返し、これらの照射による光ディスクからの反射光を検出し、該検出した反射光により光ディスクの種類を判別することにより達成される。
【０００８】
【発明の実施の形態】
以下、この発明における第１の実施例について図１の光ディスク装置のブロック図を用いて説明する。この光ディスク装置は光ディスクの判別を行うものであれば、再生専用装置、記録専用装置、再生記録装置の何れであっても構わない。本発明との関係で再生専用装置と記録専用装置との違いは、光ディスクの判別後に再生をするか、記録をするかである。また、再生記録装置は、光ディスクの判別後に再生又は記録ができる。
【０００９】
光ディスク１は、レーザ光の照射により情報の読み取り、消去、書き込みが行われると共にスピンドルモータ２によって回転される。
【００１０】
レーザダイオード３は、ＣＤ用に波長７８０ｎｍのレーザを発光し、その光束はビームスプリッタ６を通過し、コリメートレンズ９によって平行光束に整形され、ミラー１２およびダイクロイックミラー１４の反射面１４１で反射され、１／４波長板１５を通過した後、対物レンズ１６によって光ディスク１の記録面に焦点を結ぶ。また、反射光は往路と同様な経路を経て、ビームスプリッタ６で反射されて光検出器１７に入射される。
【００１１】
レーザダイオード４は、ＤＶＤ用に波長６５０ｎｍのレーザを発光し、その光束はビームスプリッタ７を通過し、コリメートレンズ１０によって平行光束に整形され、ダイクロイックミラー１４と１／４波長板１５を通過した後、対物レンズ１６によって光ディスク１の記録面に焦点を結ぶ。また、反射光は往路と同様な経路を経て、ビームスプリッタ７で反射されて光検出器１８に入射される。
【００１２】
レーザダイオード５は、ＢＤ用に波長４０５ｎｍのレーザを発光し、その光束はビームスプリッタ８を通過し、コリメートレンズ１１によって平行光束に整形され、ミラー１３およびダイクロイックミラー１４の反射面１４２で反射され、１／４波長板１５を通過した後、対物レンズ１６によって光ディスク１の記録面に焦点を結ぶ。また、反射光は往路と同様な経路を経て、ビームスプリッタ８で反射されて光検出器１９に入射される。
【００１３】
対物レンズ１６は、波長７８０ｎｍ，６５０ｎｍ，４０５ｎｍに応じて開口率ＮＡが変化する３波長対応レンズであり、また、複数の波長のレーザ光に対して焦点位置が異なる多焦点対物レンズを用いた。
【００１４】
光検出器１７は、ＣＤ用のレーザダイオード３のディスク反射光に応じた信号を出力して、その出力信号は、切り換えスイッチ２０の入力端子（ａ）に接続される。
【００１５】
光検出器１８は、ＤＶＤ用のレーザダイオード４のディスク反射光に応じた信号を出力して、その出力信号は、切り換えスイッチ２０の入力端子（ｂ）に接続される。
【００１６】
光検出器１９は、ＢＤ用のレーザダイオード５のディスク反射光に応じた信号を出力して、その出力信号は、切り換えスイッチ２０の入力端子（ｃ）に接続される。
【００１７】
なお、光検出器１７乃至１９は、図示しない電流・電圧変換回路を備えて、各反射光量に応じた電圧信号を出力するものとする。また、１／４波長板の設置位置は図１に示したものに限られるものではなく、光路毎にビームスプリッタと対物レンズ１６の間で１／４波長板が設置されればよい。
【００１８】
切り換えスイッチ２０は、制御回路３１が出力する切り換え信号ＳＥＬ（Ｓｅｌｅｃｔ）に応じて、入力端子（ａ），（ｂ），（ｃ）の入力信号を切り換えて出力し、その出力信号は信号処理回路２１に接続される。
【００１９】
図２に光検出器１７乃至１９と切り換えスイッチ２０と信号処理回路２１との接続図を示す。光検出器１７は、４分割光検出器１７１乃至１７４より構成される。同様に、光検出器１８は４分割光検出器１８１乃至１８４より、光検出器１９は４分割光検出器１９１乃至１９４より構成される。また、切り換えスイッチ２０は、切り換えスイッチ２０１乃至２０４より構成される。４分割光検出器１７１、１８１、１９１の出力は、それぞれ切り換えスイッチ２０１の入力端子（ａ），（ｂ），（ｃ）に接続される。４分割光検出器１７２、１８２、１９２の出力は、それぞれ切り換えスイッチ２０２の入力端子（ａ），（ｂ），（ｃ）に接続される。４分割光検出器１７３、１８３、１９３の出力は、それぞれ切り換えスイッチ２０３の入力端子（ａ），（ｂ），（ｃ）に接続される。
４分割光検出器１７４、１８４、１９４の出力は、それぞれ切り換えスイッチ２０４の入力端子（ａ），（ｂ），（ｃ）に接続される。切り換えスイッチ２０１乃至２０４は制御回路３１より供給される制御信号ＳＥＬが１のときは入力端子（ａ）へ、２のときは入力端子（ｂ）へ、３のときは入力端子（ｃ）へ切り換り、それぞれの出力は信号処理回路２１の入力端子Ａ，Ｂ，Ｃ，Ｄへ接続される。つまり、切り換えスイッチ２０は、光検出器１７乃至１９の出力をＳＥＬ信号に応じて切り換えて信号処理回路２１へ供給する。以上に述べたように、光検出器１７乃至１９の出力および切り換えスイッチ２０の出力は４本であるが、図１においては簡略化のためまとめて１本で示すものとする。
【００２０】
図２において、信号処理回路２１は、加算器２１１乃至２１３および減算器２１４より構成される。加算器２１１は、入力信号Ａと入力信号Ｃの加算を行う。加算器２１２は、入力信号Ｂと入力信号Ｄの加算を行う。加算器２１３は、加算器２１１と加算器２１２の各出力信号を加算した信号を出力する。ここで、加算器２１３の出力信号は入力信号Ａ，Ｂ，Ｃ，Ｄを全て加算した（Ａ＋Ｂ＋Ｃ＋Ｄ）であるので光ディスク１からの反射信号の和信号ＲＦとなる（以下ＲＦ信号と呼ぶ）。ここで、ＲＦとはＲａｄｉｏ  Ｆｒｅｑｕｅｎｃｙの略である。減算器２１４は、加算器２１１から加算器２１２を減算した信号を出力する。ここで、減算器２１４の出力結果は（Ａ＋Ｃ）−（Ｂ＋Ｄ）となるので、公知の非点収差法によるＦｏｃｕｓ  Ｅｒｒｏｒ信号（以下ＦＥ信号）となる。
【００２１】
図１において、ＡＤ変換回路２２は、ＦＥ信号をディジタルデータに変換する。
【００２２】
ＡＤ変換回路２３は、ＲＦ信号をディジタルデータに変換する。
【００２３】
記憶回路２４乃至２６にはＡＤ変換回路２２の出力が接続される。また、記憶回路２７乃至２９にはＡＤ変換回路２３の出力が接続される。さらに、記憶回路２４および２７は、制御回路３１から供給されるイネーブル信号ＥＮ１の立ち上がりタイミングでＡＤ変換回路２２およびＡＤ変換回路２３の出力信号を記憶する。同様に、記憶回路２５および２８は制御回路３１から供給されるイネーブル信号ＥＮ２の立ち上がりタイミングで、記憶回路２６および２９は制御回路３１から供給されるイネーブル信号ＥＮ３の立ち上がりタイミングでＡＤ変換回路２２およびＡＤ変換回路２３の出力信号を記憶する。なお、これら各記憶回路の出力はディスク判別回路３０に接続される。記憶回路はラッチ回路やＳＲＡＭなどを用いることができる。
【００２４】
ディスク判別回路３０は記憶回路２４乃至２９の出力信号を用いて後述する方法により光ディスク１の種類を判別し、その結果を出力する。
【００２５】
制御回路３１は前述した切り換えスイッチ２０の切り換えを制御する信号ＳＥＬ、記憶回路２４乃至２９のイネーブルを制御する信号ＥＮ１，ＥＮ２，ＥＮ３を出力する。さらに、レーザダイオード３乃至５の発光をＯＮ／ＯＦＦを制御する信号ＯＮ１，ＯＮ２，ＯＮ３を各レーザダイオードに供給する。なお、本実施例では各制御信号をＨｉにするとレーザダイオードは発光するもとのする。さらに、スイープ回路３２を制御する信号ＳＷＰ（Ｓｗｅｅｐ）を出力する。
【００２６】
スイープ回路３２は、フォーカスアクチュエータ３３の駆動を制御する信号ＦＯＤ（Ｆｏｃｕｓ  Ｄｒｉｖｅ）を出力する。本実施例では、ＦＯＤ信号レベルが下がると対物レンズ１６が光ディスク１６から遠ざかり、ＦＯＤ信号のレベルが上がると対物レンズ１６が光ディスク１６に近づくものとする。以下の説明においては、対物レンズ１６が光ディスク１に近づく動作をアップスイープ、逆に遠ざかる動作をダウンスイープと呼ぶことにする。
【００２７】
以上の構成におけるディスク判別方法を、図７を用いて説明する。図７は、本発明の第１実施例を示すディスク判別方法のフローチャートである。
【００２８】
ディスク判別処理がスタートすると（Ｓ１０１）、スピンドルモータ２により光ディスク１を回転させて（Ｓ１０２）、ダウンスイープを開始する（Ｓ１０３）。このとき、ＦＯＤ信号が予め設定してある下限を下回ったかどうかを監視する（Ｓ１０４）。下限でない場合（Ｎｏ）は監視を続ける。
【００２９】
一方、下限である（Ｙｅｓ）と判断された場合は、ダウンスイープを停止（Ｓ１０５）して、ＣＤ、ＤＶＤ、ＢＤにそれぞれ対応するレーザ光源をＯＮする（Ｓ１０６）。各レーザ光源の発光は時分割発光とする。ここで、時分割発光とは、各レーザ光源の発光期間が重ならない発光である。
【００３０】
なお、本発明では、光ディスクへの各レーザ光源の照射を行えばよいため、時分割発光という方法のみでなく、全レーザ光源を発光させて電気的又は機械的なシャッターをオン・オフさせてもよい。
【００３１】
さらにアップスイープを開始（Ｓ１０７）、ＦＥ信号とＲＦ信号の振幅測定を開始（Ｓ１０８）した後に、ＦＯＤ信号が予め設定してある上限値を上回ったかどうかを監視する（Ｓ１０９）。上限でない場合（Ｎｏ）は監視を続ける。
【００３２】
一方、上限である（Ｙｅｓ）と判断された場合は、アップスイープを停止（Ｓ１１０）して、ＦＥ信号とＲＦ信号の振幅測定を停止する（Ｓ１１１）。
【００３３】
その後、測定したＦＥ信号とＲＦ信号の振幅値を用いてディスクの種類を判別し（Ｓ１１２）、判別処理を終了する（Ｓ１１３）。判別処理の終了後は、フォーカシングのために、判別結果により装着されたディスクに対応するレーザのみをＯＮさせて、残りのレーザはＯＦＦする。
【００３４】
ＦＥ信号とＲＦ信号の振幅値を用いたディスク判別について詳細に説明する。ＦＥ信号とＲＦ信号の振幅値は光ディスクの反射率によって変化する。つまり、装着された光ディスクの種類に応じて一意的にＦＥ信号とＲＦ信号の振幅値が決定される。そこで、装着される光ディスク毎のＦＥ信号とＲＦ信号の振幅値を組み合わせて予めメモリにテーブルデータとして格納しておき、測定されたＦＥ信号とＰＥ信号の振幅値の組み合わせをテーブルデータと比較し、最も近いテーブルデータが示す光ディスクを判別結果とする。この判別結果により、ＣＤにおいてはＣＤ−ＲＯＭ，ＣＤ−Ｒ，ＣＤ−ＲＷと、ＤＶＤにおいてはＤＶＤ−ＲＯＭ（１層ディスク，２層ディスク），ＤＶＤ−Ｒ，ＤＶＤ−ＲＷ，ＤＶＤ−ＲＡＭ、ＢＤにおいてはＢＤ−ＲＯＭ、ＢＤ−ＲＥ（Ｒｅｗｒｉｔａｂｌｅ）、ＢＤ−ＷＯ（Ｗｒｉｔｅ  Ｏｎｃｅ）とさらに細かくディスクが分類できる。
【００３５】
次に、ディスク判別処理における図１の各信号の動作について図３および図４を用いて説明する。
【００３６】
まず、図１の光ディスク１は、スピンドルモータ２によって所望の速度で回転している状態であるとする。このとき、図３の時刻ｔ０において、制御回路３１は対物レンズ１６を光ディスク１から遠ざけるようＳＷＰ信号に制御信号を出力する。スイープ回路３２は、ＳＷＰ信号を受けて図３（ｄ）に示すようにＦＯＤ信号のレベルと徐々に下げて対物レンズ１６を光ディスク１から遠ざけるダウンスイープを行う。
【００３７】
そして、対物レンズ１６が光ディスク１に対して十分遠ざかる時刻ｔ１において、制御回路３１は図３（ａ），（ｂ），（ｃ）に示すようにＯＮ１，ＯＮ２，ＯＮ３の各信号にＨｉとＬｏｗに切り換る信号を出力してレーザダイオード３乃至５の発光と消光を順番に繰り返させる。さらに、制御回路３１は、対物レンズ１６を光ディスク１に近づけるようＳＷＰ信号に制御信号を出力する。スイープ回路３２は、ＳＷＰ信号を受けてＦＯＤ信号（ｄ）のレベルを徐々に上げて対物レンズ１６を光ディスク１に近づけるアップスイープを行う。
【００３８】
そして、ＦＯＤ信号が上限となる時刻ｔ２において、ディスク判別結果に基づき装着されたディスク以外のレーザをＯＦＦする。図３においてはＣＤディスクと判別された場合、ＣＤレーザ用のＯＮ１信号にＨｉを出力し、ＤＶＤレーザ用のＯＮ２信号とＢＤレーザ用のＯＮ３信号にＬｏｗを出力する。また、同じく時刻ｔ２において、制御回路３１は、対物レンズ１６を光ディスク１から遠ざけるようＳＷＰ信号に制御信号を出力して、スイープ回路３２はＦＯＤ信号（ｄ）のレベルを下げてダウンスイープを行う。
【００３９】
さらに、時刻ｔ３において、制御回路３１はレンズを停止させる制御信号をＳＷＰ信号に出力し、スイープ回路３２はＦＯＤ信号（ｄ）の変化を停止させて対物レンズ１６を光ディスク１から十分遠ざけた位置で停止させる。以上のように、対物レンズ１６の動作は、ダウンスイープ、アップスイープ、ダウンスイープ、停止という一連の順序で行われる。この一連の動作を、以下フォーカススイープと呼ぶことにする。
【００４０】
ここで、ＯＮ１信号を時間的に拡大したものを図４（ａ）に、同様にＯＮ２信号を図４（ｂ）に、ＯＮ３信号を図４（ｃ）に示す。これらに示すようにＯＮ１信号がＨｉを出力している間は、ＯＮ２信号、ＯＮ３信号はＬｏｗを出力している。同様に、ＯＮ２信号がＨｉを出力している間は、ＯＮ１信号、ＯＮ３信号はＬｏｗを出力している、さらに、ＯＮ３信号がＨｉを出力している間は、ＯＮ１信号、ＯＮ２信号はＬｏｗを出力している。つまり、ＯＮ１信号、ＯＮ２信号、ＯＮ３信号が順番に繰り返してＨｉ信号を出力するので、ＣＤ用レーザ光源３、ＤＶＤ用レーザ光源４、ＢＤ用レーザ光源５は、発光消光を順番に繰り返す。
【００４１】
さらに、図４（ｄ）に示すように、ＯＮ１信号がＨｉの期間でＳＥＬ信号に１を出力、ＯＮ２信号がＨｉの期間でＳＥＬ信号に２を出力、ＯＮ３信号が１の期間でＳＥＬ信号に３を出力させる。このように、ＳＥＬ信号を１，２，３の順番で連続的に切り換えたとき、切り換えスイッチ２０が光検出器１７乃至１９の出力を順番に出力した信号を用いて信号処理回路２１はＦＥ信号を生成する。そのため、信号処理回路２１が出力するＦＥ信号は、図４（ｅ）に示すように各レーザに対応したＦＥ信号の合成波形となる。ここで、図１のＡＤ変換回路２２は、ＦＥ信号（ｅ）の帯域に対して十分高い周波数でサンプリングするものとする。このとき、ＡＤ変換回路２２の出力はディジタルデータであるが、視覚上理解しやすいように便宜上アナログ的に表示すると、図４（ｅ）と同様な波形となる。
【００４２】
さらに、制御回路３１は、イネーブル信号ＥＮ１，ＥＮ２，ＥＮ３をＳＥＬ信号（ｄ）に同期して、図４（ｆ），（ｇ），（ｈ）に示すようにイネーブルパルスを出力するものとする。つまり、ＳＥＬ信号（ｄ）が１のときにＥＮ１信号（ｆ）にＨｉパルスを出力する。同様に、ＳＥＬ信号（ｄ）が２のときにＥＮ２信号（ｇ）にＨｉパルスを、ＳＥＬ信号（ｅ）が３のときにＥＮ３信号（ｈ）にＨｉパルスを出力する。このとき、記憶回路２４はＥＮ１信号の立ち上がりのタイミングでＦＥ信号（ｅ）を記憶するので、記憶回路２４の出力は図４のＦＥ１（ｉ）の実線で示すディジタル波形となる。同様に、記憶回路２５の出力波形を図４のＦＥ２（ｊ）の実線波形に、記憶回路２６の出力波形を図４のＦＥ３（ｋ）の実線波形にそれぞれディジタル波形として示す。
【００４３】
図４において、ＦＥ１信号（ｉ）、ＦＥ２信号（ｊ）、ＦＥ３信号（ｋ）の実線波形は階段状のディジタル波形となっているが、これらのディジタル波形は図４（ｉ）、（ｊ）、（ｋ）の点線で示したアナログ波形をＥＮ１信号（ｆ）、ＥＮ２信号（ｇ）、ＥＮ３信号（ｈ）の立ち上がりタイミングでサンプリングしたものと同等である。ここで、図４（ｉ）の点線で示したアナログ波形は、ＣＤ用レーザダイオード３を発光させて得られるＦＥ信号を示している。同様に、図４（ｊ）の点線で示したアナログ波形はＤＶＤ用レーザダイオード４を発光させて得られるＦＥ信号を、図４（ｋ）の点線で示したアナログ波形はＢＤ用レーザダイオード５を発行させて得られるＦＥ信号を示している。
【００４４】
このことより、信号処理回路２１が出力するＦＥ信号（ｅ）は、ＦＥ１（ｉ）乃至ＦＥ３（ｋ）のアナログ波形で示した各レーザを単独で発光させた場合の各ＦＥ信号を時分割で合成した波形であり、ＦＥ１信号（ｉ）乃至ＦＥ３信号（ｋ）は前記合成波形から各レーザに対応したＦＥ信号に分離した信号である。
【００４５】
つまり、各レーザ光源の発光と切り換えスイッチ２０の切り換えとイネーブル信号ＥＮ１，ＥＮ２，ＥＮ３の動作を高速で同期させることで、ＣＤ用、ＤＶＤ用、ＢＤ用の各レーザに対応したＦＥ信号を１度のフォーカススイープで得ることができる。また、ＲＦ信号に関しても、同様に記憶回路２７乃至２９の出力がそれぞれＣＤ用、ＤＶＤ用、ＢＤ用のレーザ光に対応したＲＦ信号となる。以下、記憶回路２７乃至２９の出力をＲＦ１，ＲＦ２，ＲＦ３とする。
【００４６】
図３（ｅ）にＦＥ１信号を示す。同様に、図３（ｆ）にＲＦ１信号を、図３（ｇ）にＦＥ２信号を、図３（ｈ）にＲＦ２信号を、図３（ｉ）にＦＥ３信号を、図３（ｊ）にＲＦ３信号を示す。
【００４７】
図３において、時刻ｔ１からｔ２までのアップスイープ期間ＰＲＤ１において、各レーザ光の焦点は記録層を通過する。このとき、各ＦＥ信号、ＲＦ信号には図３の点線楕円（ｋ）で囲む記録層反射による信号変化が観測できる。ここで、図１のディスク判別回路３０は、点線楕円（ｋ）における各レーザに対応するＦＥ信号、ＲＦ信号の振幅を測定する。つまり、図３におけるＦＥ１信号（ｅ）の振幅Ｆ１、ＲＦ１信号（ｆ）の振幅Ｒ１、ＦＥ２信号（ｇ）の振幅Ｆ２、ＲＦ２信号（ｈ）の振幅Ｒ２、ＦＥ３信号（ｉ）の振幅Ｆ３、ＲＦ３信号（ｊ）の振幅Ｒ３を測定する。なお、対物レンズ１６を光ディスク１から遠ざけるダウンスイープ期間ＰＲＤ２においても、点線楕円（ｌ）で囲む記録層反射による信号変化が観測できるので、記録層反射における信号変化（ｋ）と（ｌ）の両方の信号振幅を測定して、その平均値を算出してもよい。さらに、ディスク判別回路３０は、図７のフローチャートにおけるディスク判別（Ｓ１１２）で説明した方法で、光ディスク１の種類を詳細に判別する。
【００４８】
なお、図３においては、期間ＰＲＤ１で示すアップサーチと期間ＰＲＤ２で示すダウンサーチを行うものとしたが、アップアーチ期間ＰＲＤ１中の記録層反射（ｋ）における信号振幅だけもディスク判別を行うことは可能である。よって、アップサーチのみでディスク判別を行う場合は、ダウンサーチを行わず、アップサーチが終了する時刻ｔ２以降においてフォーカス引き込み動作を行ってもよい。この場合、フォーカス引き込みのためのアップスイープが不要であるので光ディスクの再生開始までの時間を短縮することができる。
【００４９】
ここで、本実施例における各レーザ光源の発光（照射）回数について説明する。本実施例は、各レーザ光源に対応するフォーカスエラー信号のＳ字波形のトップおよびボトムから信号振幅を求めてディスク判別を行うものである。つまり、Ｓ字波形のトップ及びボトムにおける信号レベルが取得できればよいので、各レーザ光源の発光（照射）回数は２回でよい。しかし、装着される光ディスクの種類によってＳ字波形が表れるタイミングが異なるので、少なくとも判別しようとするディスクの種類倍の発光（照射）が必要である。つまり、本実施例ではＣＤ／ＤＶＤ／ＢＤの３種類を判別するために各レーザ光源は少なくとも６回（３種類×２回）の発光（照射）が必要である。
【００５０】
以上に述べたように、本発明の第１の実施例では、レーザダイオード３乃至５の発光消光を順番に繰り返させている状態において、各レーザ光源の発光に同期して切り換えスイッチ２０の切り換えと記憶回路２４乃至２９のイネーブル信号を動作させながらフォーカススイープを行うことで、各レーザ光に対応したＦＥ信号とＲＦ信号を得ることができる。さらに、前記各ＦＥ信号と前記各ＲＦ信号を用いてディスク判別を行うことで、１回のフォーカススイープで光ディスクの種類を詳細に判別することが可能となり、ディスク判別時間を短縮することができる。また、１つのレーザ光源が発光している間は他のレーザ光源は消えているので、レーザが互いに漏れ込む心配がない。
【００５１】
次に本発明の第２の実施例について説明する。
【００５２】
第２の実施例においては、ＣＤ，ＤＶＤ，ＢＤの３種類の光ディスクに対応する光ピックアップの構成において、レーザ光源の数よりも少ない数の光検出器を用いた例を示す。具体的には、ＣＤ，ＤＶＤ，ＢＤのレーザ光源の数である３個に対して光検出器１個の構成とする。３個のレーザ光源の数に対して１個の光検出器を用いるので、部品点数が増えることによる光ピックアップの大型化を避けることができ、１個の光検出器の位置調整を行えばよく、光ピックアップの配置についても１個の光検出器の配置を考慮に入れればよく、他の部品配置の自由度がある。
【００５３】
ディスク判別について図５を用いて説明する。
【００５４】
第１の実施例を示す図１に比べて図５が異なっている点は、ビームスプリッタと光検出器の配置である。第１の実施例においては、レーザ光源３乃至４それぞれの光路に光検出器１７乃至１９を配置している。しかし、第２の実施形態を示す図５においては、ダイクロイックミラー１４と１／４波長偏光板１５の間にビームスプリッタ６を配置する。また、光ディスク１からの反射光がビームスプリッタ６で反射された先にコリメートレンズ３４を配置する。コリメートレンズ３４は、光ディスク１からの反射光を絞り込んでビームスポットを形成する。さらに、ビームスポットが形成される位置に光検出器１７を配置する。なお、光検出器１７の出力は、信号処理回路２１に接続される。また、図１における切り換えスイッチ２０を構成に含まないので、制御回路３１はＳＥＬ信号の出力を行わないものとする。
【００５５】
第２の実施例におけるディスク判別フローチャートは、第１の実施例と同様である。
【００５６】
図６に第２の実施例における各信号の波形図示す。（ａ）はレーザ光源３の発光を制御するＯＮ１信号、（ｂ）はレーザ光源４の発光を制御するＯＮ２信号、（ｃ）はレーザ光源５の発光を制御するＯＮ３信号、（ｄ）は記憶回路２４及び記憶回路２７のイネーブル信号であるＥＮ１信号、（ｅ）は記憶回路２５及び記憶回路２８のイネーブル信号であるＥＮ２信号、（ｆ）は記憶回路２６及び記憶回路２９のイネーブル信号であるＥＮ３信号である。
【００５７】
フォーカススイープ期間において制御回路３１は、図６のＯＮ１信号（ａ）にＨｉ信号を、ＯＮ２信号（ｂ）にＬｏｗ信号を、ＯＮ３信号（ｃ）にＬｏｗ信号をそれぞれ出力してレーザ光源３のみを発光させる。この状態において、ＥＮ１信号（ｄ）にイネーブルパルスを出力する。次に、制御回路３１は、ＯＮ１信号（ａ）にＬｏｗ信号を、ＯＮ２信号（ｂ）にＨｉ信号を、ＯＮ３信号（ｃ）にＬｏｗ信号をそれぞれ出力してレーザ光源４のみを発光させる。この状態において、ＥＮ２信号（ｅ）にイネーブルパルスを出力する。さらに、制御回路３１は、ＯＮ１信号（ａ）にＬｏｗ信号を、ＯＮ２信号（ｂ）にＬｏｗ信号を、ＯＮ３信号（ｃ）にＨｉ信号をそれぞれ出力してレーザ光源５のみを発光させる。この状態において、ＥＮ３信号（ｆ）にイネーブルパルスを出力する。
【００５８】
以上の動作により、３個のレーザ光源が順番に繰り返して発光し、記憶回路２４乃至２９のイネーブル信号がその発光に同期して動作するので、第１の実施例同様に各レーザ光源に対応したＦＥ信号及びＲＦ信号を生成することができる。なお、ディスク判別回路３０で行う判別動作は、第１の実施例と同様である。
【００５９】
なお、図１及び図５のダイクロイックミラー１４に関して、３波長のレーザビームの光束を１本にできれば図示した構成以外でもよい。また、ＡＤ変換回路２２，２３に関して、所望のサンプリング周波数を満足できれば、１つのＡＤ変換回路でＦＥ信号とＲＦ信号を時分割でＡＤ変換してもよい。
【００６０】
【発明の効果】
以上のように、本発明の効果として、複数の光ディスクを精度良くディスク判別することができる。
【図面の簡単な説明】
【図１】本発明の第１実施形態に係るディスク判別装置のブロック図である。
【図２】本発明の第１実施形態に係る光検出器から信号処理回路への接続図である。
【図３】本発明の第１実施形態の信号波形を示す説明図である。
【図４】本発明の第１実施形態の信号波形を示す説明図である。
【図５】本発明の第２実施形態に係るディスク判別装置のブロック図である。
【図６】本発明の第２実施形態の信号波形を示す説明図である。
【図７】本発明の第１及び第２の実施形態を示すフローチャートである。
【符号の説明】
１…光ディスク、２…スピンドルモータ、３〜５…レーザダイオード、６〜８…ビームスプリッタ、９〜１１，３４…コリメートレンズ、１２，１３…ミラー、１４…ダイクロイックミラー、１５…１／４波長板、１６…対物レンズ、１７〜１９…光検出器、２０…切り換えスイッチ、２１…信号処理回路、２２，２３…ＡＤ変換回路、２４〜２９…記憶回路、３０…ディスク判別回路、３１…制御回路、３２…スイープ回路、３３…フォーカスアクチュエータ、
１７１〜１７４…光検出器、１８１〜１８４…光検出器、１９１〜１９４…光検出器、２０１〜２０４…切り換えスイッチ、２１１〜２１３…加算器、２１４…減算器。
【図１】
2004295952.tif 000003
【図２】
2004295952.tif 000004
【図３】
2004295952.tif 000005
【図４】
2004295952.tif 000006
【図５】
2004295952.tif 000007
【図６】
2004295952.tif 000008
【図７】
2004295952.tif 000009